(57)【要約】    【課題】      再生信号のビット誤り率特性を向上させること。    【解決手段】  サンプリング部１０２は、受信された多相位相変調信号のシンボルをサンプリングする。位相検出部１０４は、受信シンボルの位相φを検出する。位相選択部１０６は、位相φに基づいて、受信シンボルに対応する既知シンボルを判定する。ビット重み付け部１１０は、位相φを基にかつグレイ符号の特性を利用して、既知シンボルのビット毎の重み付け係数ｋ（ｎ）を決定する。軟判定ビットデータ生成部１１２は、既知シンボルのビット列ｓｔｒ（ｎ）およびビット毎の重み付け係数ｋ（ｎ）に基づいて、軟判定ビットデータｄａｔａ（ｎ）を生成する。  【選択図】      図１
2005151087.tif 000002
【特許請求の範囲】
【請求項１】
受信された多相位相変調信号のシンボルをサンプリングするサンプリング手段と、
サンプリングされた受信シンボルの位相を検出する検出手段と、
検出された位相に基づいて、サンプリングされた受信シンボルに対応する既知シンボルを判定する判定手段と、
検出された位相を基にかつグレイ符号の特性を利用して、判定された既知シンボルのビット毎の重み付け係数を決定する決定手段と、
判定された既知シンボルのビット列および決定されたビット毎の重み付け係数に基づいて、軟判定復号が施される軟判定データを生成する生成手段と、
を有することを特徴とする軟判定復号装置。
【請求項２】
生成された軟判定データに対して施される軟判定復号は軟判定ビタビ復号であることを特徴とする請求項１記載の軟判定復号装置。
【請求項３】
前記決定手段は、
所定の設定信号に従って、ビット毎の重み付け係数の決定を行うことを特徴とする請求項１記載の軟判定復号装置。
【請求項４】
生成された軟判定データに対して施される軟判定復号は軟判定ブロック復号であることを特徴とする請求項１記載の軟判定復号装置。
【請求項５】
サンプリングされた受信シンボルおよび当該受信シンボルに対応する既知シンボルの位相誤差を算出する算出手段と、
算出された位相誤差に基づいて、前記サンプリング手段による受信シンボルのサンプリングに用いられるクロック信号のタイミングを補正する補正手段と、
を有することを特徴とする請求項１記載の軟判定復号装置。
【請求項６】
受信した多相位相変調信号のシンボルをサンプリングするサンプリングステップと、
サンプリングした受信シンボルの位相を検出する検出ステップと、
検出した位相に基づいて、サンプリングした受信シンボルに対応する既知シンボルを判定する判定ステップと、
検出した位相を基にかつグレイ符号の特性を利用して、判定した既知シンボルのビット毎の重み付け係数を決定する決定ステップと、
判定した既知シンボルのビット列および決定したビット毎の重み付け係数に基づいて、軟判定復号が施される軟判定データを生成する生成ステップ、
を有することを特徴とする軟判定復号方法。
【発明の詳細な説明】
【技術分野】
【０００１】
本発明は、多相位相変調方式を適用した無線通信システムにおいて用いられる軟判定復号装置および軟判定復号方法に関する。
【背景技術】
【０００２】
一般に、移動通信や衛星通信などの無線通信においては、無線回線におけるマルチパスフェージング等の影響による受信信号の品質劣化を改善するため、種々のダイバーシチ受信、等化処理および符号誤り制御等の対策が施される。符号誤り制御の例としては畳み込み符号が挙げられ、この畳み込み符号は、符号化レート、拘束長および生成多項式により一意に決定される畳み込み符号生成規則に基づいて行われる（例えば、特許文献１参照）。この生成規則を図形化したものが、トレリス図と呼ばれる一種の状態遷移図である。
【０００３】
畳み込み符号は、その復号の際、受信信号とトレリス図上の可能な経路（パス）とを照らし合わせ、最も確からしいパス（最適パス）を選択することで、受信信号のビット誤りを訂正することが可能である。例えばビタビ復号は、畳み込み符号を復号する方法として最も一般的な方法の一つである。このビタビ復号には、受信信号の信号値そのものに基づいてトレリス図上の可能なパスのメトリックを計算する硬判定と、受信信号が当該信号値を持つ確からしさ（尤度）に基づいてメトリックの計算を行う軟判定とがある。通常、軟判定の方が硬判定よりメトリック計算の精度が高く、したがって軟判定の場合のビット誤り訂正能力は硬判定の場合より高い。
【０００４】
軟判定および硬判定の違いについてより具体的に説明すると、例えば、無線通信に限らずディジタル信号の通信において、硬判定の場合は、ある一つの受信レベルを閾値として設定しておき、受信信号の受信レベルが当該閾値より大きいとき入力ビット（つまり信号値）を「１」とし小さいときは入力ビットを「０」とすることで、受信信号の信号値を決定する。
【０００５】
これに対し、軟判定の場合は、まず、受信信号の受信レベルに対して例えば７個の閾値を設定し受信レベルの範囲を８個の領域に分割しておき、領域毎に値Ｎｓ（Ｎｓは０から７の整数）を付与する。すなわち、分割により生成された８個の領域には、入力ビットが「１」または「０」である確率に応じて値Ｎｓがそれぞれ付与されている。各領域は、入力ビットが「１」であることが確実な領域、入力ビットが「０」であることが確実な領域、どちらかと言えば入力ビットが「１」である確率が高い領域、等の意味を有する。
【０００６】
上記のような軟判定をビタビ復号に適用して軟判定復号を行う軟判定復号装置においては、トレリス図上のブランチシンボルを「１」および「−１」とし、「０」〜「７」を示す値Ｎｓを（２×Ｎｓ−７）に変換することで、入力ビットおよびブランチシンボルの積和（相関）が大きいブランチを選択する。
【特許文献１】特開平４−２１９０２８号公報
【発明の開示】
【発明が解決しようとする課題】
【０００７】
しかしながら、上記従来の軟判定復号装置においては、特に多相位相変調方式の無線通信の場合に複雑な演算処理が要求されるにもかかわらず、各入力ビットに対する尤度の信頼性が十分でないため、受信信号を復号して得られる再生信号のビット誤り率特性の向上に一定の限界がある。
【０００８】
本発明は、かかる点に鑑みてなされたものであり、再生信号のビット誤り率特性を向上させることができる軟判定復号装置および軟判定復号方法を提供することを目的とする。
【課題を解決するための手段】
【０００９】
本発明の軟判定復号装置は、受信された多相位相変調信号のシンボルをサンプリングするサンプリング手段と、サンプリングされた受信シンボルの位相を検出する検出手段と、検出された位相に基づいて、サンプリングされた受信シンボルに対応する既知シンボルを判定する判定手段と、検出された位相を基にかつグレイ符号の特性を利用して、判定された既知シンボルのビット毎の重み付け係数を決定する決定手段と、判定された既知シンボルのビット列および決定されたビット毎の重み付け係数に基づいて、軟判定復号が施される軟判定データを生成する生成手段と、を有する構成を採る。
【００１０】
この構成によれば、受信シンボルに対応する既知シンボルのビット毎の重み付け係数をグレイ符号の特性を利用して決定し、当該既知シンボルのビット列および決定されたビット毎の重み付け係数に基づいて、軟判定復号が施される軟判定データを生成するため、ビット毎の尤度の算出が容易になり、軟判定データに対して軟判定復号を施すことにより得られる再生信号のビット誤り率特性を向上させることができる。
【００１１】
本発明の軟判定復号装置は、上記構成において、生成された軟判定データに対して施される軟判定復号は軟判定ビタビ復号である構成を採る。
【００１２】
この構成によれば、軟判定データに対して軟判定ビタビ復号を施すことにより得られる再生信号のビット誤り率特性を向上させることができる。
【００１３】
本発明の軟判定復号装置は、上記構成において、前記決定手段は、所定の設定信号に従って、ビット毎の重み付け係数の決定を行う構成を採る。
【００１４】
この構成によれば、所定の設定信号に従って、ビット毎の重み付け係数の決定を行うため、ビット毎の尤度の信頼性を向上させることができる。
【００１５】
本発明の軟判定復号装置は、上記構成において、生成された軟判定データに対して施される軟判定復号は軟判定ブロック復号である構成を採る。
【００１６】
この構成によれば、軟判定データに対して軟判定ブロック復号を施すことにより得られる再生信号のビット誤り率特性を向上させることができる。
【００１７】
本発明の軟判定復号装置は、上記構成において、サンプリングされた受信シンボルおよび当該受信シンボルに対応する既知シンボルの位相誤差を算出する算出手段と、算出された位相誤差に基づいて、前記サンプリング手段による受信シンボルのサンプリングに用いられるクロック信号のタイミングを補正する補正手段と、を有する構成を採る。
【００１８】
この構成によれば、サンプリングされた受信シンボルおよび当該受信シンボルに対応する既知シンボルの位相誤差に基づいて、受信シンボルのサンプリングに用いられるクロック信号のタイミングを補正するため、常に正確な周期でクロック信号を生成することができる。
【００１９】
本発明の軟判定復号方法は、受信した多相位相変調信号のシンボルをサンプリングするサンプリングステップと、サンプリングした受信シンボルの位相を検出する検出ステップと、検出した位相に基づいて、サンプリングした受信シンボルに対応する既知シンボルを判定する判定ステップと、検出した位相を基にかつグレイ符号の特性を利用して、判定した既知シンボルのビット毎の重み付け係数を決定する決定ステップと、判定した既知シンボルのビット列および決定したビット毎の重み付け係数に基づいて、軟判定復号が施される軟判定データを生成する生成ステップ、を有するようにした。
【００２０】
この方法によれば、受信シンボルに対応する既知シンボルのビット毎の重み付け係数をグレイ符号の特性を利用して決定し、当該既知シンボルのビット列および決定されたビット毎の重み付け係数に基づいて、軟判定復号が施される軟判定データを生成するため、ビット毎の尤度の算出が容易になり、軟判定データに対して軟判定復号を施すことにより得られる再生信号のビット誤り率特性を向上させることができる。
【発明の効果】
【００２１】
以上説明したように、本発明によれば、再生信号のビット誤り率特性を向上させることができる。
【発明を実施するための最良の形態】
【００２２】
本発明の骨子は、受信シンボルに対応する既知シンボルのビット毎の重み付け係数をグレイ符号の特性を利用して決定し、当該既知シンボルのビット列および決定されたビット毎の重み付け係数に基づいて、軟判定復号が施される軟判定データを生成することである。
【００２３】
以下、本発明の実施の形態について、図面を用いて詳細に説明する。なお、以下全ての実施の形態において説明する軟判定復号装置は、無線通信システムにおいて用いられる通信端末装置に適用することができる。
【００２４】
（実施の形態１）
図１は、本発明の実施の形態１に係る軟判定復号装置の構成を示すブロック図である。
【００２５】
図１に示す軟判定復号装置１００は、サンプリング部１０２、位相検出部１０４、位相選択部１０６、位相尤度生成部１０８、ビット重み付け部１１０、軟判定ビットデータ生成部１１２、軟判定ビタビ復号器１１４、位相誤差算出部１１６およびシンボルクロック生成部１１８を有する。軟判定復号装置１００は、無線回線におけるマルチパスフェージング等の影響を受けた多相位相変調された受信信号のビット誤りを訂正して再生信号を生成するものである。
【００２６】
サンプリング部１０２は、図２に示すように、シンボルクロック生成部１１８によって生成された所定シンボルレートのシンボルクロック信号の立ち上がりのタイミングで、受信信号のシンボル（以下「受信シンボル」と言う）をサンプリングする。
【００２７】
位相検出部１０４は、サンプリング部１０２によってサンプリングされた受信シンボルの位相と受信シンボルおよび既知シンボルの間の位相ずれとを検出する。
【００２８】
位相選択部１０６は、複数の既知シンボルが示されたＩＱ平面を利用し、位相検出部１０４によって検出された位相との位相ずれが最も小さい既知シンボルの位相を選択する。
【００２９】
位相尤度生成部１０８は、既知シンボルと受信シンボルとの位相ずれの大きさに応じた値を取得する関数であって、当該位相ずれの絶対値が「０」のとき最大値を取得し当該位相ずれの絶対値が最大のときは最小値をとる関数を演算することにより、位相尤度を生成する。
【００３０】
ビット重み付け部１１０は、受信シンボルの位相から、グレイ符号化の特性を利用して、既知シンボルのビット毎の重み付け係数を決定する。
【００３１】
軟判定ビットデータ生成部１１２は、位相選択部１０６によって選択された位相を有する既知シンボルのビット列と、位相尤度生成部１０８によって生成された位相尤度と、ビット重み付け部１１０によって決定されたビット毎の重み付け係数とに基づいて、軟判定ビットデータを生成する。
【００３２】
軟判定ビタビ復号器１１４は、軟判定ビットデータに対して軟判定ビタビ復号を施し、再生信号を出力する。
【００３３】
ここで、一般的な軟判定ビタビ復号方法について図３および図４を用いて説明する。軟判定復号は、畳み込み符号の復号方法の一つである。図３は、畳み込み符号化を説明するための図である。図４は、図３の畳み込み符号化の生成規則を状態遷移図化したトレリス図である。
【００３４】
畳み込み符号化において、入力ｍビットに対して出力ｎビットが生成されるとき、符号化レートはｍ／ｎとなる。最新の入力ビットを含む過去のｋビットから出力ビットを生成するとき、拘束長ｋと言う。この場合、長さｋの生成多項式がｎ個必要になる。図３では、符号化レートは「１／２」であり、拘束長は「３」であり、生成多項式は「１、１、１」および「１、０、１」の２個の場合が示されている。
【００３５】
図３では、最新入力ビットを含む３ビットがバッファ１２０に蓄積され、畳み込みにより２ビットの出力が得られる。生成多項式は「１、１、１」と「１、０、１」であるから、出力の一方はバッファ１２０の全ビットの排他的論理和（ＥＸＯＲ）となり、もう一方はバッファ１２０の１番目と３番目のビットの排他的論理和となる。
【００３６】
図４の縦方向は最新入力ビットを含まないバッファ１２０内の状態を示し、この例では４通りの状態が生じる。各状態において「０」が入力された場合は、実線に沿って次の状態に移り、実線上の２ビットが出力される。一方、「１」が入力された場合は、破線に沿って次の状態に移り、破線上の２ビットが出力される。
【００３７】
復号側では、トレリス図上の実線あるいは破線上のビット列に相当する信号を受信し、トレリス図上での経路を予測することで、原信号を再生する。ただし、後述するように、パスメモリ長分の遅延が生じる。トレリス図に示すように、各状態において入力される経路（ブランチ）はそれぞれ２本ずつあり、各ブランチには符号化と同じ規則に基づいた２ビットのブランチシンボルが割り当てられている。
【００３８】
まず、２ビットが入力されると、各状態への入力ブランチについて、それぞれ入力ビットのブランチメトリックが計算され、計算されたブランチメトリックのうちまさる方に対応するブランチを選択する。選択されたブランチがつながる前の状態におけるブランチメトリックの累積（パスメトリック）と、選択されたブランチのメトリックの和を算出し、算出された和を各状態における新たなパスメトリックとする。このようにして、各状態につながるブランチが求められるたびに、各状態に至る経路（パス）の情報をパスメモリに蓄積しておく。ここで、ブランチを選択していく結果の累積がパスになる。または、パスの最小単位がブランチである。
【００３９】
２ビット入力毎に上述の処理を繰り返すと、やがて過去のパスは一つに絞られていくため、最終的に残ったパスから、畳み込み符号化前の信号が求められる。実際の装置のパスメモリ長は有限のため、パスメモリ長を越えてもパスが収束しない場合は、その時点でパスメトリックが最良の経路を選択することになる。
【００４０】
位相誤差算出部１１６は、位相選択部１０６によって選択された位相と位相検出部１０４によって検出された位相との位相誤差を算出する。
【００４１】
シンボルクロック生成部１１８は、サンプリング部１０２によって行われるサンプリングに用いられるシンボルクロック信号を生成する。また、位相誤差算出部１１６によって算出された位相誤差に基づいて、シンボルクロック信号のタイミング誤差を補正する。例えば、位相誤差が正の場合は、正位相方向に位相誤差が生じていることが分かるため、生成するシンボルクロック信号の位相がその反対方向となる負のタイミングに変更することにより、シンボルクロック信号のタイミング誤差を補正する。
【００４２】
次いで、上記構成を有する軟判定復号装置１００における動作について説明する。ここでは、８相位相変調（つまり１シンボル＝３ビット）の場合を前提する。また、図５のＩＱ平面に示すように、位相検出部１０４によって検出された受信シンボル（図中の四角の点）の位相φがπ／４と３π／８の間に存在する位相φ１（π／４≦φ１≦３π／８、０≦θ１≦π／８、π／８≦θ２≦π／４）の場合を前提として説明する。
【００４３】
図５に示す受信シンボルが受信された場合、θ１≦θ２の関係が成り立つため、位相検出部１０４で検出される、位相φ１についての最少の位相ずれはθ１となる。したがって、位相選択部１０６では、既知シンボル（０、１、１）の位相π／４が選択される。ここで、θ１は、位相φ１と位相φ１から負位相方向の１つ目の既知シンボル（０、１、１）の位相π／４との位相ずれであり、θ２は、位相φ１と位相φ１から正位相方向の１つ目の既知シンボル（０、１、０）の位相π／２との位相ずれである。
【００４４】
そして、位相尤度生成部１０８では、位相ずれθ１に基づいて、例えば次の（式１）を用いて位相尤度ｐｈｓを算出する。
ｐｈｓ＝（ｃｏｓθ１＋１）／２  （ただし、０≦θ１≦π／８）…（式１）
【００４５】
また、ビット重み付け部１１０では、検出した位相φに基づいて、ビット毎の重み付け係数ｋ（ｎ）を決定する。ただし、ｎはビットの番号を示し、この例では１≦ｎ≦３の整数である。
【００４６】
より具体的には、重み付け係数ｋ（ｎ）の決定において、予め設定された係数テーブルが使用される。図６は、重み付け係数ｋ（ｎ）の決定に使用される係数テーブルを示す図である。この係数テーブルは、グレイ符号が、互いに隣り合う位相において１ビットだけが変化し他のビットは変化しない、という特性を有することを利用して設定されたものである。
【００４７】
位相φ１の場合、正位相方向で最も近い位相はπ／２であり、負方向で最も近い位相はπ／４である。位相π／２、位相π／４とも、既知シンボルの第１番目のビットは「０」であり、第２番目のビットは「１」である。しかし、第３番目のビットは位相π／２では「０」であり、位相π／４では「１」となっており互いに異なる。位相φが無線回線の影響によりπ／４≦φ≦π／２であったとしても第１番目のビットと第２番目のビットは同一の値をとるので、第３番目のビットよりも大きな重み付け係数（Ｗ１≦Ｗ２≦Ｗ３）が設定されている。
【００４８】
さらに第１番目のビットと第２番目のビットの重み付け係数ｋ（１）、ｋ（２）について述べる。位相φ１の場合、位相選択部１０６で選択した位相はπ／４であり、第２番目のビットは「１」である。また、位相φ１から負位相方向側に、選択された位相π／４が存在し、さらにその負位相方向側には、位相０の既知シンボルが存在する。位相０の既知シンボルにおける第２番目のビットは「１」である。位相φが無線回線の影響により０≦φ≦３π／８であったとしても位相π／４の第２番目のビットと位相０の第２番目のビットは同一であることから、第２番目のビットには第１番目のビットより大きな重み付け係数を割り当てている。
【００４９】
したがって、位相φ１の場合、決定されるビット重み付け係数ｋ（１）、ｋ（２）、ｋ（３）はそれぞれ、Ｗ２、Ｗ３、Ｗ１となっている。同様な論理で、位相φの範囲に応じて、ビット毎の重み付け係数ｋ（ｎ）が、図６に示すように定められている。
【００５０】
そして、軟判定ビットデータ生成部１１２で、位相尤度ｐｈｓ、重み付け係数ｋ（ｎ）および位相選択部１０６によって選択された位相を有する既知シンボルのビット列ｓｔｒ（ｎ）に基づいて、例えば次の（式２）を用いて軟判定ビットデータｄａｔａ（ｎ）を算出する。
ｄａｔａ（ｎ）＝ｋ（ｎ）×ｓｔｒ（ｎ）×ｐｈｓ  …（式２）
【００５１】
このようにして得られた軟判定ビットデータｄａｔａ（ｎ）は軟判定ビタビ復号器１１４に入力され、軟判定ビタビ復号が行われる。
【００５２】
このように、本実施の形態によれば、受信シンボルに対応する既知シンボルのビット毎の重み付け係数をグレイ符号の特性を利用して決定し、当該既知シンボルのビット列および決定されたビット毎の重み付け係数に基づいて、軟判定ビタビ復号が施される軟判定ビットデータを生成するため、ビット毎の尤度の算出が容易になり、軟判定ビットデータに対して軟判定ビタビ復号を施すことにより得られる再生信号のビット誤り率特性を向上させることができる。
【００５３】
（実施の形態２）
図７は、本発明の実施の形態２に係る軟判定復号装置の構成を示すブロック図である。なお、本実施の形態で説明する軟判定復号装置は、実施の形態１で説明した軟判定復号装置１００と同様の基本的構成を有しており、同一の構成要素には同一の参照符号を付し、その詳細な説明を省略する。
【００５４】
図７に示す軟判定復号装置２００は、図１に示す軟判定復号装置１００のビット重み付け部１１０の代わりにビット重み付け部２０２を備えた構成となっている。
【００５５】
ビット重み付け部２０２は、受信シンボルの位相および外部から入力される外部パラメータ設定信号から、グレイ符号化の特性を利用して、既知シンボルのビット毎の重み付け係数を決定する。
【００５６】
ここで、入力される外部パラメータ設定信号について説明する。一般に、無線通信システムの受信側では無線回線の状態をビットエラー測定情報等により知ることができる。本実施の形態の軟判定復号装置２００では、例えばビットエラー測定情報等を取得することで無線回線の状態を把握し、この無線回線状態を考慮してビット毎の重み付け係数Ｗ１、Ｗ２、Ｗ３を変更する。例えば、無線回線状態が所定の基準より良好なときは、受信シンボルの位相の、０、π／４、π／２、３π／４、π、５π／４、３π／２および７π／４のいずれかからのズレが小さくなるので、ビット毎の重み付け係数を無くす、つまり同一値（Ｗ１＝Ｗ２＝Ｗ３）となるよう重み付け係数を決定する。一方、無線回線状態が所定の基準より悪いときは、受信シンボルの位相の、０、π／４、π／２、３π／４、π、５π／４、３π／２および７π／４のいずれかからのズレが大きくなるので、ビット毎に重み付けを持たせるために例えばＷ１＝０．８、Ｗ２＝０．９Ｗ３＝１．０のように重み付け係数を決定する。
【００５７】
このように、本実施の形態によれば、外部パラメータ設定信号に従って、ビット毎の重み付け係数の決定を行うため、ビット毎の尤度の信頼性を向上させることができる。
【００５８】
（実施の形態３）
図８は、本発明の実施の形態３に係る軟判定復号装置の構成を示すブロック図である。なお、本実施の形態で説明する軟判定復号装置は、実施の形態１で説明した軟判定復号装置１００と同様の基本的構成を有しており、同一の構成要素には同一の参照符号を付し、その詳細な説明を省略する。
【００５９】
図８に示す軟判定復号装置３００は、図１に示す軟判定復号装置１００の軟判定ビタビ復号器１１４の代わりに軟判定ブロック復号器３０２を備えた構成となっている。
【００６０】
軟判定ブロック復号器３０２は、軟判定ビットデータに対して軟判定ブロック復号を施し、再生信号を出力する。
【００６１】
このように、本実施の形態によれば、受信シンボルに対応する既知シンボルのビット毎の重み付け係数をグレイ符号の特性を利用して決定し、当該既知シンボルのビット列および決定されたビット毎の重み付け係数に基づいて、軟判定ブロック復号が施される軟判定ビットデータを生成するため、ビット毎の尤度の算出が容易になり、軟判定ビットデータに対して軟判定ブロック復号を施すことにより得られる再生信号のビット誤り率特性を向上させることができる。
【００６２】
なお、本実施の形態は、実施の形態１の軟判定復号装置１００に備えられている軟判定ビタビ復号器１１４の代わりに軟判定ブロック復号器３０２を備えたことを特徴としている。したがって、本実施の形態の軟判定復号装置３００の構成は、上記のものに限定されない。例えば、本実施の形態の変形例として、図９に示すような装置を実施することも可能である。同図に示す軟判定復号装置３００ａは、本実施の形態の特徴を実施の形態２で説明した軟判定復号装置２００に適用した構成となっている。この軟判定復号装置３００ａにおいても、上記と同様の作用効果を実現することができる。
【産業上の利用可能性】
【００６３】
本発明の軟判定復号装置および軟判定復号方法は、再生信号のビット誤り率特性を向上させる効果を有し、多相位相変調方式を適用した無線通信システムにおいて有用である。
【図面の簡単な説明】
【００６４】
【図１】本発明の実施の形態１に係る軟判定復号装置の構成を示すブロック図
【図２】本発明の実施の形態１に係る軟判定復号装置における受信シンボルのサンプリングを説明するための図
【図３】本発明の実施の形態１において、畳み込み符号化を説明するための図
【図４】本発明の実施の形態１において、畳み込み符号化の生成規則を状態遷移図化したトレリス図
【図５】本発明の実施の形態１に係る軟判定復号装置における動作を説明するためのＩＱ平面を示す図
【図６】本発明の実施の形態１において、重み付け係数の決定に使用される係数テーブルを示す図
【図７】本発明の実施の形態２に係る軟判定復号装置の構成を示すブロック図
【図８】本発明の実施の形態３に係る軟判定復号装置の構成を示すブロック図
【図９】本発明の実施の形態３に係る軟判定復号装置の変形例の構成を示すブロック図
【符号の説明】
【００６５】
１００、２００、３００、３００ａ  軟判定復号装置
１０２  サンプリング部
１０４  位相検出部
１０６  位相選択部
１０８  位相尤度生成部
１１０、２０２  ビット重み付け部
１１２  軟判定ビットデータ生成部
１１４  軟判定ビタビ復号器
１１６  位相誤差算出部
１１８  シンボルクロック生成部
１２０  バッファ
３０２  軟判定ブロック復号器
【図１】
2005151087.tif 000003
【図２】
2005151087.tif 000004
【図３】
2005151087.tif 000005
【図４】
2005151087.tif 000006
【図５】
2005151087.tif 000007
【図６】
2005151087.tif 000008
【図７】
2005151087.tif 000009
【図８】
2005151087.tif 000010
【図９】
2005151087.tif 000011